(57)【要約】【課題】  複数の記録層を有する光ディスクに情報を記録・再生する場合に、目的とする層以外の層からの反射光の影響を抑制し、従来よりも安定したトラッキング制御を実現する。【解決手段】  光ピックアップ装置は、複数の記録層が積層された光ディスクで反射され、対物レンズを通過したメインビームを、フォーカス用メインビームとトラッキング用メインビームとに分離し、上記メインビームよりも光の強度が小さいサブビームを、トラッキング用サブビームに分離するホログラム５と、上記トラッキング用メインビームおよびトラッキング用サブビームを受光する受光部６とを備え、受光部６は、上記トラッキング用サブビームを受光するサブ受光部を有し、目的外層で反射されたフォーカス用メインビーム８ｆＡが上記サブ受光部６Ｂ−１、６Ｂ−２（６Ｃ−１、６Ｃ−２）に入射されないように、当該サブ受光部６Ｂ−１、６Ｂ−２（６Ｃ−１、６Ｃ−２）が配置されている。【選択図】  図１
2005317161.tif 000002
【特許請求の範囲】
【請求項１】
複数の情報記録層が積層された記録媒体から反射され、集光手段を通過したメインビームを、少なくともフォーカスサーボ信号を求めるためのフォーカス用メインビームとトラッキングサーボ信号を求めるためのトラッキング用メインビームとに分離するとともに、
上記記録媒体から反射され、上記集光手段を通過した上記メインビームよりも光の強度が小さいサブビームを、少なくともトラッキングサーボ信号を求めるためのトラッキング用サブビームに分離する分離手段と、
上記トラッキング用メインビームおよびトラッキング用サブビームを受光するトラッキング受光手段とを備える光ピックアップユニットであって、
上記トラッキング受光手段は、上記トラッキング用サブビームを受光するサブ受光部を有し、
情報の記録／再生を行っている上記情報記録層以外の情報記録層で反射されたフォーカス用メインビームが上記サブ受光部に入射されないように、トラッキング受光手段が配置されていることを特徴とする光ピックアップユニット。
【請求項２】
上記分離手段は、サブビームを、トラッキングサーボ信号を求めるためのトラッキング用サブビームと、上記トラッキング用サブビーム以外の他のサブビームとに分離するものであり、
上記情報の記録／再生を行っている上記情報記録層以外の情報記録層で反射されたフォーカス用メインビームおよび他のサブビームが上記サブ受光部に入射しないように、トラッキング受光手段が配置されていることを特徴とする請求項１記載の光ピックアップユニット。
【請求項３】
上記トラッキング受光手段は、上記情報の記録／再生を行っている上記情報記録層以外の情報記録層で反射されたトラッキング用メインビームおよび／またはトラッキング用サブビームのみを受光する補助受光部を備えることを特徴とする請求項１記載の光ピックアップユニット。
【請求項４】
上記トラッキング受光手段は、さらに、上記トラッキング用メインビームを受光するメイン受光部を有しており、
上記補助受光部の受光面積は、上記サブ受光部の受光面積よりも小さいことを特徴とする請求項３記載の光ピックアップユニット。
【請求項５】
上記トラッキング受光手段は、上記情報の記録／再生を行っている上記情報記録層以外の情報記録層で反射されたフォーカス用メインビームおよび他のサブビームが上記補助受光部に入射しないように配置されていることを特徴とする請求項３記載の光ピックアップユニット。
【請求項６】
上記分離手段は、上記集光手段から見て、情報の記録／再生を行っている上記情報記録層よりも遠い情報記録層で反射されたメインビームおよびサブビームが集光される領域を除く領域で、トラッキング用メインビームおよびトラッキング用サブビームを分離するものであることを特徴とする請求項１記載の光ピックアップユニット。
【請求項７】
上記分離手段は、ホログラムであることを特徴とする請求項１記載の光ピックアップユニット。
【請求項８】
上記分離手段と、上記受光手段と、記録媒体に対して光ビームを照射する光源と、光源から照射された光ビームからメインビームとサブビームとを生成する生成手段とが一体化されてなることを特徴とする請求項１記載の光ピックアップユニット。
【請求項９】
上記請求項１〜８のいずれか１項に記載の光ピックアップユニットを備えることを特徴とする光ピックアップ装置。
【請求項１０】
上記請求項１〜８のいずれか１項に記載の光ピックアップユニットを備えることを特徴とする情報記録／再生装置。
【発明の詳細な説明】
【技術分野】
【０００１】
本発明は、光ディスク等の記録媒体に対して光学的に情報を記録または再生する光ディスク装置（情報記録／再生装置）およびそれに用いられる光ピックアップ装置および光ピックアップユニットに関するものである。
【背景技術】
【０００２】
高精細の動画像を記録するには、１枚の光ディスク（記録媒体）に記録できる容量を増大させる必要があり、そのために、光ディスクに複数の記録層（情報記録層）を設けることが考えられている。現在、ＤＶＤ−ＲＯＭ、または、ＤＶＤ−Ｖｉｄｅｏ等の読出し専用ディスクでは、既に片面２層記録のものが商品化されており、市場に普及している。また、情報を記録可能な光ディスクにおいても片面２層記録の光ディスクの規格が発表されており、商品化も時間の問題である。
【０００３】
ところで、複数の記録層を有する光ディスクの場合には、情報の記録／再生を行っている記録層以外の記録層（以下、目的外層と称する）からの不要反射光（迷光）が問題となる。具体的には、情報の記録／再生を行っている記録層（以下、目的層と称する）で反射された光と目的外層で反射された光とが重なった状態で、光を検出した場合には、正確な光量を求めることができなくなる。
【０００４】
このような問題に対しては、例えば、特許文献１、２に開示の技術が提案されている。
【０００５】
上記特許文献１では、記録層で反射された光を受光する受光部に、目的層で反射した光を受光する主受光領域以外に、目的外層で反射された光のみを受光する補助受光領域を設けることで、迷光成分のみの影響を検出して、フォーカス信号に混入する迷光の影響を抑制する手法が開示されている。
【０００６】
また、特許文献２では、上記特許文献１と同じく、目的外層からの反射光（迷光）を受光する補助受光部を設けることで、再生信号、および、フォーカス信号のクロストークを抑制する手法が開示されている。
【特許文献１】特許第３３７２４１３号（特開平９-０１６１２８２号公報（公開日；１９９７年６月２０日））
【特許文献２】特開２００２−３１９１７７公報（公開日；２００２年１０月３１日）
【発明の開示】
【発明が解決しようとする課題】
【０００７】
しかしながら、読み出し（再生）専用ディスクと異なり、記録型ディスクの場合、トラッキング信号へのクロストークが問題となってくる。
【０００８】
記録型ディスクの場合、トラッキング方式として、３ビームを用いた差動プッシュプル法（以下、ＤＰＰと呼ぶ）が一般的に採用されている。ＤＰＰ法とは、メインビームのプッシュプル信号と前後サブビームのプッシュプル信号との差動ととることで、オフセットの無いトラッキング信号を得る方式である。
【０００９】
そして、例えば、上記３ビームを用いて、ＤＶＤ±Ｒディスクに情報を記録する場合、記録速度は、メインビームの光強度の二乗に比例するため、高速記録するには、メインビームの光強度をできるだけ大きくする必要がある。そこで、上記ＤＶＤ±Ｒディスクに情報を記録する場合には、メインビームとサブビームの強度比を、例えば、１０：１や１５：１に設定するために、サブビームの光強度はかなり小さくなってしまう。従って、上記サブビームを検出する検出器は、メインビームよりも非常に小さい光強度の光ビームを検出することとなる。
【００１０】
一方、複数の記録層が積層された光ディスクに対して、情報の再生または情報の記録を行う場合、情報を再生（記録）する層以外の目的外層で反射した反射光が迷光として受光部に入射する。これら迷光には、メインビームの迷光もサブビームの迷光も含まれることとなる。そして、上記迷光は、記録層の層間隔分だけディフォーカスした光のために、集光光学系を通過し、受光部に入射する際には、絞られることなく、情報を再生（記録）する層から照射される光ビームと比べて、かなり大きな光ビームの状態で照射されることとなる。この上記迷光は、光密度（単位面積当りの光強度）がかなり小さく、メインビームを受光するメインビーム用受光部に入射しても大きな影響を与えることはない。
【００１１】
しかしながら、サブビームを受光するサブビーム用受光部は、メインビームに対して非常に小さい光強度（光密度）の光ビームを受光するものである。具体的には、上記のようにサブビームの光強度はメインビームの光強度の例えば１／１０以下と小さく、サブビーム用受光部は、そのような光強度の光ビームを受光する。このため、サブビーム用受光部が上記迷光、特に迷光の中でも光強度が強いメインビームの迷光を受光した場合には、情報を再生（記録）する層から照射される光ビームよりも光強度の小さい迷光であっても、受光部で受光する光強度に与える影響が大きく、その結果、ＤＰＰ信号に大きなオフセットを発生させることになる。そして、特にサブビームよりも光強度が大きいメインビームの迷光が、サブビーム用受光部に入射されると、正確なトラッキング信号を得ることができないという問題点がある。
【００１２】
本発明は、上記の問題点に鑑みてなされたものであり、その目的は、複数の記録層が積層された記録媒体に情報の記録および／または情報の再生を行う際に、従来と比べて、正確かつ安定にトラッキング制御を行える光ピックアップユニット、光ピックアップ装置、情報記録／再生装置を提供することにある。
【課題を解決するための手段】
【００１３】
本発明に係る光ピックアップユニットは、上記課題を解決するために、複数の情報記録層が積層された記録媒体から反射され、集光手段を通過したメインビームを、少なくともフォーカスサーボ信号を求めるためのフォーカス用メインビームとトラッキングサーボ信号を求めるためのトラッキング用メインビームとに分離するとともに、上記記録媒体から反射され、上記集光手段を通過した上記メインビームよりも光の強度が小さいサブビームを、少なくともトラッキングサーボ信号を求めるためのトラッキング用サブビームとその他のサブビームに分離する分離手段と、上記トラッキング用メインビームおよびトラッキング用サブビームを受光するトラッキング受光手段とを備える光ピックアップユニットであって、上記トラッキング受光手段は、上記トラッキング用サブビームを受光するサブ受光部を有し、情報の記録／再生を行っている上記情報記録層以外の情報記録層で反射されたフォーカス用メインビームが上記サブ受光部に入射されないように、トラッキング受光手段が配置されていることを特徴としている。
【００１４】
上記サブビームは、メインビームよりも光の強度が小さい。そして、サブ受光部は、上記のように光の強度の小さいサブビームを受光する。従って、上記サブ受光部は、上記トラッキング用サブビーム以外に照射される迷光（不要光）を受光した場合には、当該サブ受光部にて生成される信号の誤差が生じ易い。
【００１５】
また、情報の記録／再生（記録および／または再生）を行っている上記情報記録層以外の情報記録層（以下、目的外層と称する）から反射された光ビーム（メインビームおよびサブビーム）は、光路長の差のために、集光手段を通過し、情報の記録／再生（記録および／または再生）を行っている情報記録層（以下、目的層と称する）から反射された光ビームと比べて、受光手段に照射される面積が大きくなる。従って、目的外層で反射された光ビームは、目的層で反射された光ビームよりも、単位面積あたりの光の強度は小さい。しかしながら、メインビームは、サブビームよりも光の強度が強くなっており、上記目的外層で反射されたメインビームは、目的層で反射されたサブビームの光強度と近くなっている。そして、目的外層で反射されたフォーカス用メインビームが上記サブ受光部に入射されると、その光の強度のために、上記サブ受光部は、正確な信号を得ることができない。
【００１６】
上記の構成によれば、目的外層で反射されたフォーカス用メインビームが上記サブ受光部に入射しないように、トラッキング受光手段を配置している。つまり、上記サブ受光部には、目的外層で反射されたフォーカス用メインビームが入射することがない。従って、フォーカス用メインビームがサブ受光部に入射することを考慮していない従来の構成と比較して、確実かつ安定したトラッキング制御を行うことができる。
【００１７】
なお、上記分離手段は、例えば、上記フォーカス用光ビームと上記トラッキング用光ビームと再生信号を求めるための再生用光ビームとに光ビームを分離してもよい。なお、上記分離手段は、フォーカス用光ビームと上記トラッキング用光ビームとに光ビームを分離する場合には、フォーカス用光ビームを用いて再生信号を得てもよく、もしくは、フォーカス用光ビームとトラッキング用光ビームを用いて再生信号を得ても良い。
【００１８】
本発明に係る光ピックアップユニットの上記分離手段は、サブビームを、トラッキングサーボ信号を求めるためのトラッキング用サブビームと、上記トラッキング用サブビーム以外の他のサブビームとに分離するものであり、上記情報の記録／再生を行っている上記情報記録層以外の情報記録層で反射されたフォーカス用メインビームおよび他のサブビームが上記サブ受光部に入射しないように、トラッキング受光手段が配置されている構成がより好ましい。
【００１９】
上記他のサブビームとは、分離手段によって分離されたサブビームのうち、トラッキングサーボ信号を求めるために用いられるトラッキング用サブビーム以外のサブビームを示している。
【００２０】
上記の構成によれば、トラッキングサーボ信号を求めるためのトラッキング用サブビームおよびトラッキング用メインビーム以外の光ビーム（フォーカス用メインビームおよび他のサブビーム）が、サブ受光部に照射されることを防止できる、より詳細には、目的外層から反射された光ビームのうち、トラッキング用光ビーム以外の光ビームが上記サブ受光部に照射されることを防止できるので、より一層、正確かつ安定したトラッキング制御を行うことができる。
【００２１】
本発明に係る光ピックアップユニットの上記トラッキング受光手段は、上記情報の記録／再生を行っている上記情報記録層以外の情報記録層で反射されたトラッキング用メインビームおよび／またはトラッキング用サブビームのみを受光する補助受光部を備える構成がより好ましい。
【００２２】
上記目的外層で反射されたトラッキング用メインビームおよび／またはトラッキング用サブビームは、上記目的層で反射されたトラッキング用サブビームよりも、受光手段に照射される面積が大きいため、上記目的層で反射されたトラッキング用サブビームとともに、サブ受光部に入射されることとなる。従って、上記サブ受光部で受光される光量（光の強度）は、上記目的外層で反射されたトラッキング用メインビームおよび／またはトラッキング用サブビームの影響を受けることとなる。
【００２３】
上記の構成によれば、上記目的外層で反射されたトラッキング用メインビームおよび／またはトラッキング用サブビームのみを受光する補助受光部を備えている。これにより、上記目的外層で反射されたトラッキング用メインビームおよび／またはトラッキング用サブビームの影響の度合いを知ることができるので、これによる影響を除去することができる。
【００２４】
本発明に係る光ピックアップユニットの上記トラッキング受光手段は、さらに、上記トラッキング用メインビームを受光するメイン受光部を有しており、上記補助受光部の受光面積は、上記サブ受光部の受光面積よりも小さい構成がより好ましい。
【００２５】
トラッキングサーボ信号は、上記メイン受光部およびサブ受光部にそれぞれ入射された光量に応じて、差動プッシュプル法（３ビームによってトラッキングサーボ信号を得る方式）に応じて算出される。
【００２６】
上記の構成によれば、補助受光部の受光面積を、サブ受光部の受光面積よりも小さくしている。これにより、差動プッシュプル法を用いて層間クロストークを除去する場合に、補助受光部から検出された光量を用いて、サブ受光部に発生するオフセットとメイン受光部に発生するオフセットとを併せた形で層間クロストークを除去することができる。従って、メイン受光部にて発生するオフセットを検出する検出器（受光部）を設けることなく、上記層間クロストークを除去することができるので、光ピックアップユニットを小型化することができる。なお、上記受光面積とは、実際に光ビームを受光している領域を示す。
【００２７】
本発明に係る光ピックアップユニットの上記トラッキング受光手段は、上記情報の記録／再生を行っている上記情報記録層以外の情報記録層で反射されたフォーカス用メインビームおよび他のサブビームが上記補助受光部に入射しないように配置されている構成がより好ましい。
【００２８】
上記の構成によれば、上記補助受光部を目的外層で反射されたフォーカス用メインビームおよび他のサブビームが入射しない位置に配置しているので、当該補助受光部は、トラッキング用メインビームおよび／またはトラッキング用サブビームのみを受光することができる。これにより、より一層、正確かつ安定したトラッキング制御を行うことができる。
【００２９】
本発明に係る光ピックアップユニットの上記分離手段は、上記集光手段から見て、情報の記録／再生を行っている上記情報記録層よりも遠い情報記録層で反射されたメインビームおよびサブビームが集光される領域を除く領域で、トラッキング用メインビームおよびトラッキング用サブビームを分離するものである構成がより好ましい。
【００３０】
上記目的外層のうち、上記目的層よりも上記集光手段から遠い情報記録層で反射された光ビームは、当該光ビームの光路長の差により、分離手段上に、目的層で反射され分離手段に集光された光ビームの領域に比べて、小さい領域に集光されることとなる。上記の構成によれば、上記分離手段は、上記集光手段から見て、上記目的層よりも遠い情報記録層で反射された光ビームが集光される領域以外の領域（つまり、上記小さい領域を除く領域）を用いてトラッキング用光ビームを分離している。これにより、上記目的層よりも上記集光手段から遠い情報記録層で反射された光ビームが、トラッキング受光手段に照射されることを防止することができる。従って、上記目的層よりも上記集光手段から遠い情報記録層で反射された光ビームを受光するための補助受光部を設ける必要がない。
【００３１】
なお、上記分離手段は、上記記録媒体で反射された光ビームの光軸付近の領域を除く領域でトラッキング用光ビーム（トラッキング用メインビームおよびトラッキング用サブビーム）を分離するものである構成としてもよい。
【００３２】
また、上記トラッキング受光手段は、上記分離手段がメインビームおよびサブビームを分離する分離領域のうち、上記集光手段から見て、情報の記録／再生を行っている上記情報記録層よりも遠い情報記録層で反射されたメインビームおよびサブビームが当該分離手段に集光される領域を除く領域で分離されたメインビームおよびサブビームを受光する構成としてもよい。
【００３３】
本発明に係る光ピックアップユニットの上記分離手段は、ホログラムである構成がより好ましい。
【００３４】
上記の構成とすることにより、簡単な構成で、光ビームを分離することができるので、装置の小型化を図ることができる。
【００３５】
本発明に係る光ピックアップユニットは、上記分離手段と、上記受光手段と、記録媒体に対して光ビームを照射する光源と、光源から照射された光ビームからメインビームとサブビームとを生成する生成手段とが一体化されてなる構成がより好ましい。
【００３６】
上記の構成によれば、上記分離手段と受光手段と光源と生成手段とが一体化されているので、光ピックアップユニットを小型化することができる。
【００３７】
本発明に係る光ピックアップ装置は、上記光ピックアップユニットを備えることを特徴としている。
【００３８】
上記の構成によれば、上記の光ピックアップユニットを備えているので、複数の情報記録層を有する記録媒体であっても、良好に情報の再生／記録を行うことができる。
【００３９】
本発明に係る情報記録／再生装置は、上記光ピックアップユニットを備えることを特徴としている。
【００４０】
上記の構成によれば、上記の光ピックアップユニットを備えているので、複数の情報記録層を有する記録媒体であっても、良好に情報の再生／記録を行うことができる。
【発明の効果】
【００４１】
本発明に係る光ピックアップユニットは、複数の情報記録層が積層された記録媒体から反射され、集光手段を通過したメインビームを、少なくともフォーカスサーボ信号を求めるためのフォーカス用メインビームとトラッキングサーボ信号を求めるためのトラッキング用メインビームとに分離するとともに、上記記録媒体から反射され、上記集光手段を通過した上記メインビームよりも光の強度が小さいサブビームを、少なくともトラッキングサーボ信号を求めるためのトラッキング用サブビームに分離する分離手段と、上記トラッキング用メインビームおよびトラッキング用サブビームを受光するトラッキング受光手段とを備える光ピックアップユニットであって、上記トラッキング受光手段は、上記トラッキング用サブビームを受光するサブ受光部を有し、情報の記録／再生を行っている上記情報記録層以外の情報記録層で反射されたフォーカス用メインビームが上記サブ受光部に入射されないように、トラッキング受光手段が配置されている構成である。
【００４２】
それゆえ、上記サブ受光部には、目的外層で反射されたフォーカス用メインビームが入射することがない。従って、フォーカス用メインビームがサブ受光部に入射することを考慮していない従来の構成と比較して、確実かつ安定したトラッキング制御を行うことができる。
【発明を実施するための最良の形態】
【００４３】
〔実施の形態１〕
本発明の一実施形態について説明すると以下の通りである。本実施の形態にかかる光ピックアップ装置は、複数の情報記録層（以下、記録層と称する）を有する光ディスク（記録媒体）に対して、情報の記録／再生を行うための光ピックアップ装置において、上記光ディスクから反射し、集光手段を通過した後、分離手段にて、少なくともフォーカス用光ビームとトラッキング用光ビームとに分離された、メインビームと当該メインビームよりも光強度（光密度）が小さいサブビームとを、それぞれ受光する、サブビーム受光領域とメインビーム受光領域とを備えた受光手段を有し、情報の記録／再生を行っている上記記録層以外の記録層で反射されたフォーカス用光ビームのメインビームが上記サブ受光部に入射されないように、当該サブビーム受光領域が配置されている構成である。
【００４４】
なお、以下の説明では、複数の記録層を有する記録媒体のうち、光ピックアップ装置にて情報の記録／再生を行っている記録層以外の記録層を目的外層、情報の記録／再生を行っている記録層を目的層として説明する。つまり、目的層以外の記録層が目的外層となる。
【００４５】
図２は、本実施の形態にかかる光ピックアップ装置７の概略の構成を示す側面図である。光ピックアップ装置７は、レーザ光源（光源）１、回折部（生成手段）２、対物レンズ（集光手段）３、ビームスプリッタ１０、ホログラム５（分離手段）および受光部（受光手段）６を備えている。
【００４６】
レーザ光源１は、光ディスク４に対してレーザ光を照射するものである。上記レーザ光源１は、例えば、波長６５０ｎｍのレーザビーム（光ビーム）を出射する。なお、レーザ光源１から出射される光ビームの波長は特に限定されるものではなく、例えば、４０５ｎｍであってもよい。
【００４７】
回折部２は、レーザ光源１と上記光ディスク４との間に配置されており、レーザ光源１から出射される１つの光ビームから、１つのメインビーム（０次透過光）と２つのサブビーム（＋１次回折光、−１次回折光）とを生成するものである。つまり、レーザ光源１から出射された光ビームは、回折部２にて３つの光ビームになる。本実施の形態では、回折部２は、レーザ光源１から対物レンズ３までの間（より詳細にはレーザ光源１からビームスプリッタ１０までの間）に設けられている。そして、上記回折部２は、メインビームを、サブビームの光強度よりも大きくなるように、２種類の光ビームを生成している。より具体的には、上記回折部２は、２つのサブビームである＋１次回折光と−１次回折光との光量の和よりもメインビームの光量が大きくなるように、上記メインビームとサブビームとを生成している。本実施の形態では、回折部２は、それぞれの光量が＋１次回折光：０次透過光：−１次回折光＝１：１０：１となるように光ビームを回折している。また、上記回折部２が回折格子で構成されている場合には、当該回折格子の溝の深さによって、０次透過光と±１次回折光との割合を制御することができる。
【００４８】
対物レンズ３は、回折部２にて回折された３つの光ビームを光ディスク４上に集光させるものである。また、光ディスク４によって反射された光ビームは、上記対物レンズ３を通過して、ホログラム５に入射される。
【００４９】
ビームスプリッタ１０は、光ディスク４から反射された３つの光ビーム（１つのメイン光ビームおよび２つのサブ光ビーム）をホログラム５に導くものである。本実施の形態では、光ディスク４で反射されて対物レンズ３を通過した３つの光ビームは、ビームスプリッタ１０にて進行方向が変えられてホログラム５に導かれる。
【００５０】
ホログラム５は、光ディスク４で反射されて対物レンズ３を通過した光ビームを分離するものである。上記ホログラム５は、複数の領域に分割されており、上記対物レンズ３を通過した光ビームを各分割領域により分割して受光部６に入射させる。そして、具体的には、上記光ビームは、上記ホログラム５にて少なくともフォーカスサーボ信号を求めるためのフォーカス用光ビームとトラッキングサーボ信号を求めるためのトラッキング用光ビームとに分離される。なお、上記ホログラム５の分割パターンおよび受光部の詳細な構成については後述する。
【００５１】
受光部６は、複数の受光素子を有し、上記分離手段にて分離された光ビーム（フォーカス用光ビーム、トラッキング用光ビーム）を受光（検出）して電気信号に変換するものである。上記受光部６では、受光された光ビームの光強度を検出する。また、上記受光部６は、フォーカス用光ビームを受光するフォーカス用受光部６Ａと、トラッキング用光ビームを受光するトラッキング用受光部（トラッキング受光手段）６Ｂ、６Ｃとを備えている。そして、フォーカス用受光部６Ａでは、フォーカスサーボ信号が生成され、また、トラッキング用受光部６Ｂ、６Ｃでは、トラッキングサーボ信号が生成される。
【００５２】
次に、上記レーザ光源１から出射された光ビームについて説明する。レーザ光源１から出射された光ビームは、回折部２にて３つの光ビームに回折された後、ビームスプリッタ１０を透過し、対物レンズ３によって光ディスク４上に集光される。
【００５３】
光ディスク４で反射した光ビームは、再び、対物レンズ３を通り、ビームスプリッタ１０で反射し、ホログラム５で３個以上の複数の光ビームに分割されて受光部に入射する。
【００５４】
ここで、ホログラム５と受光部との詳細な構成をについて説明する。図３は、ホログラム５の分離領域（分離パターン）を示す正面図である。なお、図中の矢印の方向はトラック方向を示している。
【００５５】
図３に示すように、上記ホログラム５は、３つの領域（５Ａ、５Ｂおよび５Ｃ）に分割されている。上記領域５Ａは、上記メインビーム（図中、点線で示す）が上記ホログラム５に照射された場合における、上記光ビームの光軸を中心として、当該光軸を含む直線で２分割されたうちの一方である。より詳細には、上記領域５Ａは、ホログラム５の分離領域のうち、上記ホログラム５に照射されるメインビームの光軸を含みトラック方向と直交する方向の直線（以下、直交直線と称する）で２分割された領域のうちの一方の領域である。
【００５６】
そして、領域５Ｂおよび領域５Ｃは、それぞれ、ホログラム５の分離領域のうち、上記領域５Ａ以外の領域であり、上記光ビームの光軸を含みトラック方向と平行な直線（以下、平行直線と称する）と上記直交直線とで囲まれた領域である。つまり、上記光軸を中心として、直交直線と平行直線とで分割された４つの領域のうち、平行直線で分割された領域のうちの隣り合う２つの領域が、領域５Ｂ、５Ｃであり、直交直線で分割された一方の領域が領域５Ａである。
【００５７】
そして、上記分割された３つの領域のうち、領域５Ａで分割された光ビームは、フォーカスサーボ信号を求めるためのフォーカス用光ビームであり、上記領域５Ｂ、５Ｃで分割された２つの光ビームは、トラッキングサーボ信号を求めるためのトラッキング用光ビームである。フォーカス用光ビームは、フォーカス用受光部６Ａに照射され、トラッキング用光ビームは、トラッキング用受光部６Ｂ、６Ｃに照射される。
【００５８】
そして、上記領域５Ａで分割されたメインビームは、フォーカスサーボ信号を求めるためのフォーカス用メインビームであり、上記領域５Ｂ、５Ｃで分割された２つのメインビームは、トラッキングサーボ信号を求めるためのトラッキング用メインビームである。また、上記領域５Ａで分割されたサブビームは、他のサブビーム（説明の便宜上フォーカス用サブビームと称する）であり、上記領域５Ｂ、５Ｃで分割された２つのサブビームは、トラッキングサーボ信号を求めるためのトラッキング用サブビームである。なお、以下の説明では、メインビームとサブビームとを特に区別しない場合には、受光部６に入射される光ビームをフォーカス用光ビーム、トラッキング用光ビームと称して説明する。
【００５９】
図４は、受光部６の詳細な構成を示す正面図である。受光部６は、図４に示すように、上記フォーカス用光ビームを受光するフォーカス用受光部６Ａと、トラッキング用光ビームを受光するトラッキング用受光部６Ｂおよび６Ｃを備えている。具体的には、上記フォーカス用受光部６Ａは、ホログラム５の領域５Ａにて分離されたフォーカス用光ビーム（フォーカス用メインビーム）を受光するものであり、上記トラッキング用受光部６Ｂは、上記領域５Ｂにて分離されたトラッキング用光ビームを受光するものであり、上記トラッキング用受光部６Ｃは、上記領域５Ｃにて分離されたトラッキング用光ビームを受光するものである。
【００６０】
また、上記トラッキング用受光部６Ｂおよび６Ｃは、回折部２にて回折された、１つのメインビームと２つのサブビームとをそれぞれ受光する受光素子を備えている。具体的には、トラッキング用受光部６Ｂおよび６Ｃは、上記０次透過光であるトラッキング用メインビームを受光するメイン受光部６Ｂ−０および６Ｃ−０と、±１次回折光である２つのトラッキング用サブビームを受光するサブ受光部６Ｂ−１、６Ｂ−２および６Ｃ−１、６Ｃ−２を備えている。そして、上記メイン受光部６Ｂ−０、サブ受光部６Ｂ−１および６Ｂ−２（６Ｃ−０、６Ｃ−１および６Ｃ−２）は、メイン受光部６Ｂ−０（６Ｃ−０）を真中としてその両隣になるようにサブ受光部６Ｂ−１および６Ｂ−２（６Ｃ−１および６Ｃ−２）がトラック方向に延びるように、それぞれ配置されている。なお、上記の説明において、メインビームおよびサブビームは目的層で反射された光ビームである。また、
さらに、本実施の形態では、トラッキング用受光部６Ｂ（６Ｃ）は、サブ受光部６Ｂ−１および６Ｂ−２（６Ｃ−１および６Ｃ−２）の、メイン受光部６Ｂ−０（６Ｃ−０）が設けられている反対側に配置された補助受光部６Ｂ−１１および６Ｂ−１２（６Ｃ−１１および６Ｃ−１２）を備えている。この補助受光部６Ｂ−１１、６Ｂ−１２（６Ｃ−１１、６Ｃ−１２）は、上記目的外層にて反射した光ビーム（以下、迷光と称する）のみを受光するものである。つまり、光ディスク４が単層の場合には、補助受光部６Ｂ−１１、６Ｂ−１２（６Ｃ−１１、６Ｃ−１２）には光は入射しない。
そして、領域５Ｂにて分離されたトラッキング用光ビームを受光する５つの受光部（補助受光部６Ｂ−１１、サブ受光部６Ｂ−１、メイン受光部６Ｂ−０、サブ受光部６Ｂ−２、補助受光部６Ｂ−２２）および、領域５Ｃにて分離されたトラッキング用光ビームを受光する５つの受光部（６Ｃ−１１、６Ｃ−１、６Ｃ−０、６Ｃ−２、６Ｃ−２２）は、トラッキング方向に沿って、上記の順に配置されている。また、トラッキング用受光部６Ｂおよび６Ｃは、フォーカス用受光部６Ａから見て同じ側に配置されている。トラッキング用受光部６Ｂおよび６Ｃを互いに隣接するように配置することにより、受光部６の大きさを小さくすることができる。なお、上記の説明において、迷光とは、目的外層で反射されたメインビームおよびサブビームを示す。
【００６１】
図５は、それぞれホログラム５に目的層で反射したメインビームとサブビームとが入射したときの、受光部６に入射される光ビームを説明する図面である。図５に示すように、０次透過光であるメインビーム８は、その光軸が、ホログラム５の中心となるように入射される。また、±１次回折光であるサブビーム８＋１、８−１は、それぞれ０次透過光と一部が重なるように入射される。なお、図中の点線は、光軸を含む直線（直交直線、平行直線）を示している。
【００６２】
そして、上記領域５Ａで回折されたメインビーム８は、フォーカス用受光部６Ａに入射する。また、領域５Ａで回折されたサブビーム８＋１、８−１は、フォーカス用受光部６Ａを挟んで、受光部６が備えられていない場所に入射する。つまり、領域５Ａで回折されたサブビーム８＋１、８−１は、フォーカスサーボ信号およびトラッキングサーボ信号を求めるためには使用されない。
【００６３】
一方、上記領域５Ｂ（５Ｃ）で回折されたメインビーム８は、トラッキング用受光部６Ｂ（６Ｃ）であるメイン受光部６Ｂ−０（６Ｃ−０）に入射される。また、領域５Ｂ（５Ｃ）で回折されたサブビーム８＋１、８−１は、それぞれサブ受光部６Ｂ−１、６Ｂ−２（６Ｃ−１、６Ｃ−２）に入射される。
【００６４】
ここで、光ディスク４が単層である場合におけるトラッキングサーボ信号（トラッキング誤差信号、以下の説明では、ＴＥＳと称する）を差動プッシュプル法（以下、ＤＰＰ法と称する）を用いて算出する方法について説明する。ＤＰＰ法は、特に記録型光ディスク４の場合に多く用いられる。そして、ＤＰＰ法では、メイン受光部６Ｂ−０で検出された光量を“６Ｂ−０”、メイン受光部６Ｃ−０で検出された光量を“６Ｃ−０”、サブ受光部６Ｂ−１、６Ｂ−２で検出された光量をそれぞれ“６Ｂ−１”、“６Ｂ−２”、サブ受光部６Ｃ−１、６Ｃ−２で検出された光量をそれぞれ“６Ｃ−１”、“６Ｃ−２”としたとき、上記ＴＥＳは、下式（１）、
ＴＥＳ＝（“６Ｂ−０”−“６Ｃ−０”）−Ｋ×｛（“６Ｂ−１”＋“６Ｂ−２”）−（“６Ｃ−１”＋“６Ｃ−２”）｝……（１）
の演算式により求める。なお、上記Ｋは、メインビームとサブビームとの光量の差から求められる任意の係数である。
【００６５】
つまり、領域５Ｂと領域５Ｃとで分離されたメインビームの差とサブビームの差とをそれぞれ算出して、これらの差分を取ることによりトラッキングサーボ信号を求めている。
【００６６】
次に、複数の記録層が積層された光ディスク４において発生する迷光（目的外層で反射されるメインビームおよびサブビーム）について説明する。図６は、目的層から反射された光ビームと、目的層よりも対物レンズ３に近い迷光との光路の差を示す側面図である。また、図７は、目的層から反射された光ビームと、目的層よりも対物レンズ３からの距離が近い迷光が、ホログラム５および受光部６に照射された場合のそれぞれのスポットを示す正面図である。なお、図中では、目的層から反射された光ビームを点線で示している。また、以下の説明では、２層ディスクについて説明するが、記録層の数については特に限定されるものではない。
【００６７】
目的層よりも対物レンズ３側の記録層（目的外層）からの光ビーム（以下、ニア側迷光と称する）８ｎと目的層からの光ビーム８とは、図６に示すように、両者の光路長の差によって、ホログラム５および受光部６に入射する光ビームの面積が異なる。具体的には、図７に示すように、ホログラム５および受光部６に入射するニア側迷光８ｎは、光路長の差および対物レンズ３３の影響により、光ビーム８よりもその照射面積が大きくなる。つまり、ホログラム５および受光部６に形成されるスポットは、光ビーム８よりもニア側迷光８ｎのほうが大きい。
【００６８】
なお、図７において、光ビーム８およびニア側迷光８ｎは、回折部２によって、それぞれメインビームとサブビームとが存在しているが、説明の便宜上、ニア側迷光８ｎについては０次透過光のみを示している。なお、実施の形態では０次透過光＞＞±１次回折光となっており、以下の説明では、オフセットに強い影響を与える（光量の多い）０次透過光のみについて説明する。
【００６９】
図７に示すように、領域５Ａにて分離されたニア側迷光８ｎは、フォーカスニア側迷光８ｎＡとして受光部６Ａに入射する。このとき、フォーカスニア側迷光８ｎＡは、領域５Ａにて分離された光ビーム８よりも受光部６Ａ上に形成されるスポットの大きさは大きくなる。また、領域５Ｂ（５Ｃ）にて分離されたニア側迷光８ｎは、トラッキングニア側迷光８ｎＢ（８ｎＣ）としてメイン受光部６Ｂ−０（６Ｃ−０）に入射する。このとき、トラッキングニア側迷光８ｎＢ（８ｎＣ）は、領域５Ｂ（５Ｃ）にて分離された光ビーム８よりもメイン受光部６Ｂ−０（６Ｃ−０）上に形成されるスポットの大きさは大きくなる。そして、上記トラッキングニア側迷光８ｎＢ（８ｎＣ）は、その光ビームの照射面積の大きさのために、サブ受光部６Ｂ−２（６Ｃ−２）および補助受光部６Ｂ−１２（６Ｃ−２）にも照射される。
【００７０】
つまり、サブ受光部６Ｂ−２（６Ｃ−２）に、トラッキングニア側迷光８ｎＢ（８ｎＣ）が入射するために、ＴＥＳは、下式（２）、
ＴＥＳ＝（“６Ｂ−０”−“６Ｃ−０”）−Ｋ×｛（“６Ｂ−１”＋“６Ｂ−２”＋Δｂ２）−（“６Ｃ−１”＋“６Ｃ−２”＋Δｃ２）｝……（２）
となる。上記Δｂ２（Δｃ２）は、トラッキングニア側迷光８ｎＢ（８ｎＣ）がサブ受光部６Ｂ−２（６Ｃ−２）に入射することにより発生するオフセットを示している。
【００７１】
ここで、Δｂ２＝Δｃ２であれば、ＴＥＳに不要なオフセットが発生しないが、実際には、ピックアップ組立て誤差等の影響により、図中の左右方向（ラジアル方向）にトラッキングニア側迷光８ｎＢ（８ｎＣ）が移動するため、Δｂ２≠Δｃ２となり、Ｋ×（Δｂ２−Δｃ２）のオフセットが発生することとなる。
【００７２】
そこで、トラッキングニア側迷光８ｎＢ（８ｎＣ）のみを検出する補助受光部６Ｂ−１２（６Ｃ−１２）の出力をそれぞれ“６Ｂ−２”（“６Ｃ−２”）の出力から引くことで、オフセットをキャンセルすることができる。
【００７３】
一方、図８は、目的層から反射された光ビームと、目的層よりも対物レンズ３に遠い迷光との光路の差を示す側面図である。また、図９は、目的層から反射された光ビームと、目的層よりも対物レンズ３からの距離が遠い迷光が、ホログラム５および受光部６に照射された場合のそれぞれのスポットを示す正面図である。なお、図中では、目的層から反射された光ビームを点線で示している。
【００７４】
目的層よりも対物レンズ３側と反対側の記録層（目的外層）からの光ビーム（以下、ファー側迷光と称する）８ｆと目的層からの光ビーム８とは、図８に示すように、両者の光路長の差によって、ホログラム５および受光部６に入射する光ビームの面積が異なる。具体的には、図９に示すように、ホログラム５に入射するファー側迷光８ｆは、光路長の差および対物レンズ３３の影響により、受光部６の手前（受光部６とホログラム５との間）で焦点を結ぶ。このため、ホログラム５に入射するファー側迷光８ｆは、光ビーム８よりもその照射面積が小さくなる一方、受光部６に入射するファー側迷光８ｆは、上記光ビーム８よりもその照射面積が大きくなる。つまり、ホログラム５に形成されるスポットは、光ビーム８よりもファー側迷光８ｆのほうが小さくなるが、受光部６に形成されるスポットは、光ビーム８よりもファー側迷光８ｆのほうが大きくなる。
【００７５】
また、図９に示すように、領域５Ａにて分離されたファー側迷光８ｆは、フォーカスファー側迷光８ｆＡとして受光部６Ａに入射する。このとき、フォーカスファー側迷光８ｆＡは、領域５Ａにて分離された光ビーム８よりも受光部６Ａ上に形成されるスポットの大きさは大きくなる。また、領域５Ｂ（５Ｃ）にて分離されたファー側迷光８ｆは、トラッキングファー側迷光８ｆＢ（８ｆＣ）としてメイン受光部６Ｂ−０（６Ｃ−０）に入射する。このとき、トラッキングファー側迷光８ｆＢ（８ｆＣ）は、領域５Ｂ（５Ｃ）にて分離された光ビーム８よりもメイン受光部６Ｂ−０（６Ｃ−０）上に形成されるスポットの大きさは大きくなる。そして、上記トラッキングファー側迷光８ｆＢ（８ｆＣ）は、そのビームの照射面積の大きさのために、サブ受光部６Ｂ−１（６Ｃ−１）および補助受光部６Ｂ−１１（６Ｃ−１１）にも照射される。
【００７６】
そして、サブ受光部６Ｂ−１（６Ｃ−１）に、トラッキングファー側迷光８ｆＢ（８ｆＣ）が入射するために、ＴＥＳは、下式（３）、
ＴＥＳ＝（“６Ｂ−０”−“６Ｃ−０“）−Ｋ×｛（”６Ｂ−１“＋Δｂ１＋”６Ｂ−２“）−（”６Ｃ−１“＋Δｃ１＋”６Ｃ−２“）｝……（３）
となる。上記Δｂ１（Δｃ１）は、トラッキングファー側迷光８ｆＢ（８ｆＣ）がサブ受光部６Ｂ−１（６Ｃ−１）に入射することにより発生するオフセットを示している。
【００７７】
ここで、Δｂ１＝Δｃ１であれば、ＴＥＳに不要なオフセットが発生しないが、実際には、ピックアップ組立て誤差等の影響により、Δｂ１≠Δｃ１となるため、Ｋ×（Δｂ１−Δｃ１）のオフセットが発生することとなる。
【００７８】
そこで、トラッキングファー側迷光８ｆＢ（８ｆＣ）のみを検出する補助受光部６Ｂ−１１（６Ｃ−１１）の出力をそれぞれ“６Ｂ−１”（“６Ｃ−１”）の出力から引くことで、オフセットをキャンセルすることができる。
【００７９】
ここで、フォーカス用受光部６Ａとトラッキング用受光部６Ｂおよび６Ｃとの位置関係について説明する。
【００８０】
本実施の形態にかかる受光部６は、目的外層で反射されたフォーカス用メインビームが上記サブ受光部６Ｂ−１および６Ｂ−２（６Ｃ−１および６Ｃ−２）に入射されないようにフォーカス用受光部６Ａとトラッキング用受光部６Ｂおよび６Ｃとが配置されている。
【００８１】
図１は、本実施の形態にかかるフォーカス用受光部６Ａとトラッキング用受光部６Ｂおよび６Ｃとの配置を示す正面図である。なお、図中の矢印の方向はトラック方向を示している。
【００８２】
本実施の形態においては、図１に示すように、メイン受光部６Ｂ−０（６Ｃ−０）、サブ受光部６Ｂ−１、６Ｂ−２（６Ｃ−１、６Ｃ−２）、および、補助受光部６Ｂ−１１、６Ｂ−１２（６Ｃ−１１、６Ｃ−１２）を、それぞれ受光部６に照射されるフォーカスファー側迷光８ｆＡが入射しない位置に配置している。より詳細には、上記トラッキング受光部６Ｂ（６Ｃ）は、目的外層から反射したフォーカス用メインビームおよびフォーカス用サブビームが入射しないように配置されている。
【００８３】
これにより、トラッキング受光部６Ｂ（６Ｃ）に、目的外層で反射したフォーカス用メインビームおよびフォーカス用サブビームが入射することを防止することができるので、上記フォーカス用メインビームおよびフォーカス用サブビームがトラッキング受光部６Ｂ（６Ｃ）に入射することにより発生するオフセットを防止することができる。これにより、より正確なトラッキングサーボ信号を得ることができる。従って、従来の構成と比較して、確実かつ安定したトラッキング制御を行うことができる。つまり、複数の記録層が積層された光ディスク４に情報を記録・再生する場合に、目的外層からの反射光の影響を抑制し、従来よりも安定したトラッキング制御を実現することが可能となる。
【００８４】
そして、上記の光ピックアップ装置７を備えた情報記録／再生装置は、従来の構成と比較して、確実かつ安定したトラッキング制御を行うことができる。
【００８５】
また、上記レーザ光源１、回折部２、ホログラム５および受光部６を一体化させて光ピックアップユニットとすることにより、光ビックアップ装置の小型化を図ることができる。なお、本実施の形態において光ピックアップユニットとは、レーザ光源１、回折部２、ホログラム５および受光部６を一体化させてなるものであるが、少なくとも上記４つの部材を備えていればよい。そして、上記光ピックアップユニットと対物レンズ３（および対物レンズ３を駆動させる駆動源）とを有するものが光ピックアップ装置である。
〔実施の形態２〕
本発明の他の実施の形態について説明すれば、以下の通りである。なお、説明の便宜上、前記実施の形態１にて示した各部材と同一の機能を有する部材には、同一の符号を付記し、その説明を省略する。
【００８６】
本実施の形態にかかる光ピックアップ装置７では、上記ホログラム５の分割パターンが異なる例について説明する。
【００８７】
図１０は、目的層から反射された光ビームと、目的層よりも対物レンズ３からの距離が近い迷光が、ホログラム５および受光部６に照射された場合のそれぞれのスポットを示す正面図である。なお、図中では、目的層から反射された光ビームを点線で示している。
【００８８】
本実施の形態にかかるホログラム５は、トラッキングサーボ信号を求めるために光ビームを分離する領域５Ｂと領域５Ｃの形状が、メインビームの光軸付近の領域を含まない領域になっている。具体的には、上記ホログラム５において光ディスク４から反射された光ビームを分離する領域である領域５Ｂおよび５Ｃは、上記対物レンズ３から見て、目的層よりも遠い目的外層で反射されたメインビームおよびサブビームが集光される領域を除く領域になっている。より詳細には、上記目的層よりも対物レンズ３から遠い側の迷光のビーム径の最大値よりも大きい部分を除く領域で、トラッキングサーボ信号を得る構成である。なお、上記大きい部分とは、対物レンズ３がトラッキングの際に移動しても、目的層よりも遠い迷光がはみ出さない部分を示している。
【００８９】
具体的には、例えば、ホログラム５上での光ディスク４から反射された光ビームの直径が６００μｍの場合には、光軸から、半径１３０μｍ程度（直径２６０μｍ）の円形部分を除く領域を用いてトラッキングサーボ信号を求めればよい。なお、上記数値は、光学系の構成（対物レンズ３の焦点距離・開口数、ホログラム５の分割パターン等）により異なる。
【００９０】
このため、ホログラム５の領域５Ｂと領域５Ｃとを通過したトラッキング用光ビームは、受光部上に、ドーナツ状の中抜きの１／４円となって、メイン受光部６Ｂ−０（６Ｃ−０）、サブ受光部６Ｂ−２（６Ｃ−２）、および、補助受光部６Ｂ−１２（６Ｃ−１２）に照射する。従って、図１０に示すように、ホログラム５の領域５Ｂ（５Ｃ）を通過し、目的層から反射されたトラッキング用光ビームは、メイン受光部６Ｂ−０（６Ｃ−０）およびサブ受光部６Ｂ−２（６Ｃ−２）に、中抜きの１／４円の形状で入射する。また、トラッキングニア側迷光８ｎＢ（８ｎＣ）も同様に入射する。
【００９１】
一方、ホログラム５の領域５Ａは、上記光軸付近の領域を含んだ領域となっている。そして、領域５Ａを通過し、目的層から反射したフォーカス用光ビームは、フォーカス用受光部６Ａに、大きな半円と小さな半円とを併せた形のスポットを形成することとなる。また、このとき、迷光も上記目的層から反射したフォーカス用光ビームと同じ形状でフォーカス用受光部６Ａに入射することとなる。
【００９２】
図１１は、目的層から反射された光ビームと、目的層よりも対物レンズ３からの距離が遠い迷光が、ホログラム５および受光部６に照射された場合のそれぞれのスポットを示す正面図である。図１１に示すように、迷光（メインビームとサブビームとの両方）は、ホログラム５の領域５Ａのみに照射されている。つまり、上記迷光は、トラッキングサーボ信号を求めるために光ビームを分離する領域５Ｂと領域５Ｃとには照射されていない。また、トラッキング制御のために、対物レンズ３を移動させた場合であっても、上記迷光は、領域５Ｂと領域５Ｃとには照射されない。
【００９３】
従って、上記トラッキングファー側迷光８ｆは、フォーカス用受光部６Ａのみに照射され、メイン受光部６Ｂ−０（６Ｃ−０）、サブ受光部６Ｂ−１、６Ｂ−２（６Ｃ−１、６Ｃ−２）、および、補助受光部６Ｂ−１２（６Ｃ−１２）には照射されない。
【００９４】
従って、ホログラム５のトラッキングサーボ信号を求めるための領域５Ｂおよび５Ｃを、トラッキングファー側迷光８ｆが入射しない形状とすることにより、トラッキングファー側迷光８ｆＢ、トラッキングファー側迷光８ｆＣによるオフセットを検出するための補助受光部６Ｂ−１１、６Ｃ−１１を設ける必要がない。従って、補助受光部の個数を減らすことができるとともに、装置の小型化を図ることができる。
【００９５】
ここで、本実施の形態にかかる補助受光部６Ｂ−１２（６Ｃ−１２）の形状について説明する。
【００９６】
図１２は、トラッキング用受光部６Ｂ（６Ｃ）における、補助受光部６Ｂ−１２（６Ｃ−１２）の形状を示す正面図である。
【００９７】
本実施の形態において、上記補助受光部６Ｂ−１２（６Ｃ−１２）は、図１２に示すように、その受光面積が、サブ受光部６Ｂ−１、６Ｂ−２（６Ｃ−１、６Ｃ−２）よりも小さくなっている。これについて説明する。
【００９８】
図１２に示すように、上記トラッキングニア側迷光８ｎＢ（８ｎＣ）が、サブ受光部６Ｂ−２（６Ｃ−２）に照射されることにより、オフセットが生じることとなる。また、メイン受光部６Ｂ−０（６Ｃ−０）にも、同様にオフセットが発生している。このため、上記ＴＥＳは、下式（４）、
ＴＥＳ＝（“６Ｂ−０”＋Δｂ−“６Ｃ−０”＋Δｃ）−Ｋ×｛（“６Ｂ−１”＋“６Ｂ−２”＋Δｂ２）−（“６Ｃ−１”＋“６Ｃ−２”＋Δｃ２）｝……（４）
となる。上記Δｂ（Δｃ）は、トラッキングニア側迷光８ｎＢ（８ｎＣ）がメイン受光部６Ｂ−０（６Ｃ−０）に入射することにより発生するオフセットを示しており、上記Δｂ２（Δｃ２）は、トラッキングニア側迷光８ｎＢ（８ｎＣ）がサブ受光部６Ｂ−２（６Ｃ−２）に入射することにより発生するオフセットを示している。
【００９９】
ここで、迷光（トラッキングニア側迷光８ｎＢ（８ｎＣ））による各オフセット量が全く同じであれば、補助受光部を設けなくても、オフセットをキャンセルすることができるが、実際には、例えば、光ピックアップ装置７の組立て誤差等により、Δｂ≠Δｃ、Δｂ２≠Δｃ２となる。
【０１００】
そこで、本実施の形態では、補助受光部６Ｂ−１２（６Ｃ−１２）の受光面積を、サブ受光部６Ｂ−１、６Ｂ−２（６Ｃ−１、６Ｃ−２）よりも小さくしている。
【０１０１】
そして、上記式（４）において、補助受光部６Ｂ−１２および補助受光部６Ｃ−１２により得られる出力信号を、それぞれｘ、ｙとすると、上記ＴＥＳは、下式（５）、
ＴＥＳ＝（“６Ｂ−０”＋Δｂ−“６Ｃ−０”＋Δｃ）−Ｋ×｛（“６Ｂ−１”＋“６Ｂ−２”＋Δｂ２−ｘ）−（“６Ｃ−１”＋“６Ｃ−２”＋Δｃ２−ｙ）｝……（５）
となる。
【０１０２】
ここで、Δｂ−Ｋ×（Δｂ２−ｘ）＝０、Δｃ−Ｋ×（Δｃ２−ｙ）＝０となるようにｘ、ｙを決定した場合、メイン受光部６Ｂ−０（６Ｃ−０）およびサブ受光部６Ｂ−１、６Ｂ−２（６Ｃ−１、６Ｃ−２）に発生するオフセットをキャンセルすることができる。そして、本実施の形態では、このようなｘ、ｙとなるように、補助受光部６Ｂ−１２および補助受光部６Ｂ−１２の受光面積（形状）を決定している。換言すると、本実施の形態にかかる補助受光部６Ｂ−１２および補助受光部６Ｂ−１２の受光面積は、メイン受光部６Ｂ−０（６Ｃ−０）およびサブ受光部６Ｂ−１、６Ｂ−２（６Ｃ−１、６Ｃ−２）によって発生するオフセットをキャンセルすることができるように設定されている。
【０１０３】
そして、例えば、補助受光部６Ｂ−１２および補助受光部６Ｂ−１２と、サブ受光部６Ｂ−１、６Ｂ−２（６Ｃ−１、６Ｃ−２）との受光面積を互いに同じとした場合、Δｂ２＝ｘ、Δｃ２＝ｙとなるため、Ｋ×（Δｂ２−ｘ）、Ｋ×（Δｃ２−ｙ）の部分のオフセットをキャンセルすることが可能であるが、Δｂ−Δｃのオフセット（Δｂ≠Δｃ）は残留することとなる。そこで、本実施の形態では、上記メイン受光部６Ｂ−０（６Ｃ−０）によって発生するオフセットをキャンセルするために、つまり、Δｂ２−ｘ＞０、Δｃ２−ｙ＞０とするために、補助受光部６Ｂ−１２（６Ｃ−１２）の受光面積を、サブ受光部６Ｂ−１、６Ｂ−２（６Ｃ−１、６Ｃ−２）よりも小さくしている。
【０１０４】
ところで、本実施の形態では、ホログラム５の分離領域である領域５Ｂおよび５Ｃは、上記対物レンズ３から見て、目的層よりも遠い迷光が集光される領域を除く領域になっている。従って、受光部６に照射されるトラッキングニア側迷光８ｎＢ（８ｎＣ）は、ドーナツ状の中抜きの１／４円となるため、サブ受光部６Ｂ−２（６Ｃ−２）に入射するトラッキングニア側迷光８ｎＢ（８ｎＣ）の光量は、補助受光部６Ｂ−１２（６Ｃ−１２）の光量よりも少なくなっている。従って、サブ受光部６Ｂ−２（６Ｃ−２）により発生するオフセットをキャンセルする場合には、サブ受光部６Ｂ−２（６Ｃ−２）と補助受光部６Ｂ−１２（６Ｃ−１２）とに照射される迷光の光量が同じになるように、補助受光部６Ｂ−１２（６Ｃ−１２）の受光面積を設定すればよい。さらに、上記説明のように、メイン受光部６Ｂ−０（６Ｃ−０）によって発生するオフセットも併せてキャンセルする場合には、補助受光部６Ｂ−１２（６Ｃ−１２）の受光面積を、サブ受光部６Ｂ−２（６Ｃ−２）とに照射される迷光を受光する受光面積よりも小さく設定してもよい。より具体的には、図１２に示すように、サブ受光部６Ｂ−２（６Ｃ−２）と、補助受光部６Ｂ−１２、６Ｃ−１２との長さが同じ場合、両者の幅を、Ｗ１＞Ｗ３、Ｗ１＞Ｗ２となるように設定すればよい（Ｗ１：サブ受光部６Ｂ−２（６Ｃ−２）の幅、Ｗ３：補助受光部６Ｂ−１２の幅、Ｗ２：補助受光部６Ｃ−１２の幅）。これにより、２つの補助受光部のみで、メイン受光部６Ｂ−０（６Ｃ−０）およびサブ受光部６Ｂ−２（６Ｃ−２）に発生するオフセットをキャンセルすることができる。
【０１０５】
また、本実施の形態では、ホログラム５の領域５Ｃで分離されたトラッキングニア側迷光８ｎＣのみを受光する補助受光部６Ｃ−１２の受光面積とホログラム５の領域５Ｂで分離されたトラッキングニア側迷光８ｎＢのみを受光する補助受光部６Ｂ−１２の受光面積とを、互いに異ならせている。より詳細には、補助受光部６Ｃ−１２と補助受光部６Ｂ−１２とのそれぞれの受光面積は、それぞれに入射する光ビームの密度（単位面積あたりの光量）に応じた面積を有している。これについて説明する。
【０１０６】
ホログラム５にて、目的層で反射された光ビームおよび迷光を分離して各受光部６に入射する場合、当該ホログラム５の分割パターンや、当該分割パターンと各受光部６が設けられている位置によっては、上記ホログラム５の領域５Ｂと領域５Ｃとの分離された光ビームは、互いに、分離角度およびホログラム５から受光部６までの光路長が異なることとなる。例えば、領域５Ｂと領域５Ｃとの分離された光ビームが、ホログラム５にて、互いに異なる分離角度で、各受光部６に入射する場合、当該各受光部６に照射された光ビームのビーム径は異なる。具体的には、上記分離角度が大きければ大きいほどビーム径は大きくなる。この場合には、メイン受光部６Ｂ−０とメイン受光部６Ｃ−０とに入射する迷光の密度（単位面積当たりに入射する光量）は異なる。また、サブ受光部６Ｂ−１、６Ｂ−２とサブ受光部６Ｃ−１、６Ｃ−２とに入射する上記光ビームの密度も異なる。そして、補助受光部６Ｃ−１２と補助受光部６Ｂ−１２とに入射する上記光ビームの密度も異なる。従って、補助受光部６Ｃ−１２と補助受光部６Ｂ−１２とに照射された迷光の密度が同じになるように、当該補助受光部６Ｃ−１２と補助受光部６Ｂ−１２との受光面積を設定している。具体的には、補助受光部６Ｃ−１２と補助受光部６Ｂ−１２との受光面積を互いに異ならせることにより、分離角度が異なっている光ビームが両者に照射される場合であっても、両者が受光する上記密度を同じにすることができる。なお、上記受光面積とは、受光可能な面積を示すものではなく、実際に光ビームを受光している領域を示す。
【０１０７】
また、本実施の形態では、２つの補助受光部のみで、メイン受光部６Ｂ−０（６Ｃ−０）およびサブ受光部６Ｂ−２（６Ｃ−２）に発生するオフセットをキャンセルするために、補助受光部６Ｃ−１２と補助受光部６Ｂ−１２とから出力される出力信号にそれぞれゲインを付加するゲイン調整器を設けてもよい。
【０１０８】
図１３は、トラッキング用受光部６Ｂ（６Ｃ）における、補助受光部６Ｂ−１２（６Ｃ−１２）からの出力信号にゲインを付すゲイン調整器が備えられている構成を示す正面図である。
【０１０９】
上記ゲイン調整器は、補助受光部６Ｂ−１２から出力される出力信号、および、補助受光部６Ｃ−１２から出力される出力信号に対して、個別にゲインを付すことができる。
【０１１０】
そして、図１３において、補助受光部６Ｂ−１２から出力される出力信号に付すゲインをＭ、補助受光部６Ｃ−１２から出力される出力信号に付すゲインをＮとしたとき、上記ＴＥＳは、下式（６）、
ＴＥＳ＝（“６Ｂ−０”＋Δｂ−“６Ｃ−０”＋Δｃ）−Ｋ×｛（“６Ｂ−１”＋“６Ｂ−２”＋Δｂ２−ｘ×Ｍ）−（“６Ｃ−１”＋“６Ｃ−２”＋Δｃ２−ｙ×Ｎ）｝……（６）
となる。
【０１１１】
ここで、Δｂ−Ｋ×（Δｂ２−ｘ×Ｍ）＝０、Δｃ−Ｋ×（Δｃ２−ｙ×Ｎ）＝０
となるように、上記各ゲインＭ、Ｎを設定することにより、メイン受光部６Ｂ−０（６Ｃ−０）およびサブ受光部６Ｂ−１、６Ｂ−２（６Ｃ−１、６Ｃ−２）に発生するオフセットをキャンセルすることができる。
【０１１２】
また、上記説明のように、トラッキング用受光部６Ｂと６Ｃとに入射する迷光の密度が、それぞれ異なる場合には、ゲイン調整器は、サブ受光部６Ｂ−１、６Ｂ−２と、サブ受光部６Ｃ−１、６Ｃ−２とから出力される出力信号に、補助受光部６Ｂ−１２からの出力信号、および、補助受光部６Ｃ−１２からの出力信号に付すゲインをＭ、Ｎとは異なるゲインを付加してもよい。具体的には、サブ受光部６Ｂ−１、６Ｂ−２と、サブ受光部６Ｃ−１、６Ｃ−２とから出力される出力信号に付加するゲインをＩとした場合、上記ＴＥＳは、下式（７）、
ＴＥＳ＝（“６Ｂ−０”＋Δｂ−“６Ｃ−０”＋Δｃ）−Ｋ×〔｛（“６Ｂ−１”＋“６Ｂ−２” ＋Δｂ２）×Ｉ−ｘ×Ｍ｝−｛（“６Ｃ−１”＋“６Ｃ−２” ＋ Δｃ２）×Ｉ−ｙ×Ｎ｝〕……（７）
となる。
【０１１３】
なお、上記式（７）において、Ｍ＞Ｎ、Ｉ＞Ｍ、Ｉ＞Ｎである。そして、Δｂ−Ｋ×（Δｂ２×Ｉ−ｘ×Ｍ）＝０、Δｃ−Ｋ×（Δｃ２×Ｉ−ｙ×Ｎ）＝０
となるように、上記各ゲインＭ、Ｎ、Ｉを設定することにより、メイン受光部６Ｂ−０（６Ｃ−０）およびサブ受光部６Ｂ−１、６Ｂ−２（６Ｃ−１、６Ｃ−２）に発生するオフセットをキャンセルすることができる。
【０１１４】
また、具体的な演算方法としては、図１３に示すように、補助受光部６Ｂ−１２からの出力信号にゲインＭを付した出力信号（ア）と、サブ受光部６Ｂ−１、６Ｂ−２からの出力信号（イ）との間で差動演算を行った結果出力（ウ）と、補助受光部６Ｃ−１２からの出力信号にゲインＮを付した出力信号（エ）とサブ受光部６Ｃ−１、６Ｃ−２からの出力信号（オ）との間で差動演算を行った結果出力（カ）とから、さらに上記結果出力（ウ）と結果出力（カ）との間で差動演算を行い、この結果出力（キ）にゲインＫを付したものと、メイン受光部６Ｂ−０と６Ｃ−０との間で差動演算を行った結果出力（ク）との間で差動演算を行うことにより、ＴＥＳを求めている。なお、ＴＥＳの演算方法（算出方法）については上記に限定されるものではない。
【０１１５】
これにより、補助受光部６Ｂ−１２（６Ｃ−１２）の受光面積を変化させることなく、メイン受光部６Ｂ−０（６Ｃ−０）およびサブ受光部６Ｂ−２（６Ｃ−２）に発生するオフセットをキャンセルすることができる。
【０１１６】
なお、上記のように各ゲインを設定する方法としては、例えば、光ピックアップ装置７が読み取る光ディスク４毎に、再生信号のジッター値やエラー率が最も小さくなるようにゲインを定めればよい。また、より簡単な最適化手法としては、ピックアップ組立て時に、基準となる多層光ディスク４を用いて、トラッキング信号のオフセットや再生信号のジッター値、エラー率を測定し、ベストなゲインを決定すればよい。
【０１１７】
なお、上記の説明では、補助受光部６Ｃ−１２と補助受光部６Ｂ−１２とから出力される出力信号にそれぞれゲインを付加するゲイン調整器を設ける例について説明したが、例えば、上記補助受光部６Ｃ−１２と補助受光部６Ｂ−１２と以外の他にも補助受光部を設ける場合には、上記ゲイン調整器は、これら他の補助受光部からの出力信号に、それぞれゲインを付加してもよい。また、上記上記ゲイン調整器は、各補助受光部から出力される出力信号に対して、互いに異なるようにゲインを付すようにしてもよい。
【０１１８】
また、上記の説明では、補助受光部６Ｃ−１２と補助受光部６Ｂ−１２とについて説明したが、上記に限定されるものではなく、光ピックアップ装置７に設けられる補助受光部が、上記の条件を満足するように形成してもよい。つまり、受光部６に設けられている複数の補助受光部の受光面積は、互いに異なっていてもよい。また、上記複数の補助受光部の受光面積は、サブ受光部の受光面積よりも小さくしてもよい。
【０１１９】
また、本実施の形態にかかる光ピックアップ装置７は、図１４に示すように、レーザ光源１、回折部２、ホログラム５および受光部６が一体化された光ピックアップユニット２０を備えている。そして、ユニットは、レーザ光源１、回折部２、ホログラム５および受光部が一体化されているので、光ピックアップ装置７をより小型化することができる。
【０１２０】
また、上記ホログラム５としては、例えば、プリズム等を用いてもよい。
【０１２１】
また、本実施の形態にかかる光ピックアップ装置７は、補助受光部から出力された出力信号に対してゲインを付すゲイン調整器が設けられている構成であってもよい。
【０１２２】
また、本実施の形態にかかる光ピックアップ装置７は、上記複数の補助受光部の光ビームを受光する受光領域の大きさが互いに異なっている構成としてもよい。さらには、上記複数の補助受光部の受光面積が互いに等しくなっている構成としてもよい。
〔実施の形態３〕
本発明の他の実施の形態について説明すれば、以下の通りである。なお、説明の便宜上、前記実施の形態１にて示した各部材と同一の機能を有する部材には、同一の符号を付記し、その説明を省略する。
【０１２３】
ここで、ホログラム５の他の分割パターンについて説明する。図１５、図１６は、ホログラム５の分割パターンの他の構成例と、当該ホログラム５を通過した光ビームが受光部に照射される領域を示す正面図である。なお、図１５では、ホログラム５にニア側迷光８ｎが照射される例を、図１６では、ホログラム５にファー側迷光８ｆが照射される例を示す。図中、点線のスポットは迷光を示している。
【０１２４】
本実施の形態にかかる上記ホログラム５は、図１５、図１６に示すように、６分割されており、各領域５Ｂ〜５Ｇの６個の領域に対応した受光部６Ｂ〜６Ｇが設けられている。そして、上記４つの領域５Ｂ、５Ｃ、５Ｆ、５Ｇまた、は、互いに同じ形状となっている。一方、領域５Ｄおよび領域５Ｅは、メインビームの光軸を含む半円状になっている、また、領域５Ｄおよび領域５Ｅをあわせると円になる。そして、上記半円の半径は、上記ホログラム５において光ディスク４から反射された光ビームを分離する領域である領域５Ｄおよび５Ｅは、上記対物レンズ３から見て、目的層よりも遠い迷光が集光される領域を含む距離になっている。つまり、領域５Ｄおよび領域５Ｅに、上記ファー側迷光８ｆが照射されるようになっている。
【０１２５】
また、上記受光部６Ｂ、６Ｃ、６Ｆ、６Ｇは、それぞれ、０次透過光を受光するメインビーム用受光部６Ｂ−０、６Ｃ−０、６Ｆ−０、６Ｇ−２と、±１次光に対応した各２個ずつのサブビーム用受光部６Ｂ−１、６Ｂ−２〜６Ｇ−１、６Ｇ−２と、各１個ずつの補助受光部６Ｂ−１２、６Ｃ−１２、６Ｆ−１２、６Ｇ−１２を備えている。
【０１２６】
そして、本実施の形態では、フォーカス誤差信号を領域５Ｄから、トラッキング誤差信号を領域５Ｂ、５Ｃ、５Ｆ、５Ｇから、また、トータル信号は全領域から求める構成となっている。そして、上記の構成とすることにより、ファー側迷光８ｆのビーム径より、領域５Ｄ、５Ｅを大きくすることにより、トラッキング誤差信号を生成するために分離する領域５Ｂ、５Ｃ、５Ｆ、５Ｇからの迷光は発生しない。また、上記の構成とすることにより、迷光の、受光部６Ｄ、６Ｅにおける照射領域を一定にすることができるので、フォーカス用受光部とトラッキング受光領域とを、目的外層で反射されたフォーカス用光ビームがトラッキング用受光部６Ｂ、６Ｃに入射しない範囲内で、より一層近づけることができる。
【０１２７】
ここで、本実施の形態にかかる光ピックアップ装置７（光ピックアップユニット）を備えた情報記録／再生装置について説明する。
【０１２８】
本実施の形態に係る情報記録／再生装置５０は、図１７に示すように、光ディスク４を回転駆動するスピンドルモータ５１、光ディスク４に情報を記録再生する光ピックアップ装置７、上記スピンドルモータ５１および光ピックアップ装置７を駆動制御するための駆動制御部５２を備えている。
【０１２９】
上記駆動制御部５２は、上記スピンドルモータ５１の駆動制御を行うスピンドルモータ駆動回路、対物レンズ３をフォーカス方向に移動させるフォーカス・アクチュエータの駆動制御を行うフォーカス駆動回路、上記対物レンズ３をラジアル方向に移動させるトラッキング・アクチュエータの駆動制御を行うトラッキング駆動回路を有するとともに、上記光ピックアップ装置７から得られた信号から上記の各制御回路への制御信号を生成するための制御信号生成回路、上記光ピックアップ装置７から得られた信号から光ディスク４に記録されている情報を再生し、再生信号を生成するための情報再生回路を有している。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３１】
本発明にかかる光ピックアップ装置は、特に、多層の光ディスクに情報を記録する記録型情報記録／再生装置等に好適に適用できる。
【図面の簡単な説明】
【０１３２】
【図１】本実施の形態にかかるフォーカス用受光部とトラッキング用受光部との配置を示す正面図である。
【図２】本実施の形態にかかる光ピックアップ装置の概略の構成を示す側面図である。
【図３】ホログラムの分離領域（分離パターン）を示す正面図である。
【図４】受光部の詳細な構成を示す正面図である。
【図５】それぞれホログラムに目的層で反射したメインビームとサブビームとが入射したときの、受光部に入射される光ビームを説明する図面である。
【図６】的層から反射された光ビームと、目的層よりも対物レンズに近い目的外層から反射された光ビームとの光路の差を示す側面図である。
【図７】目的層から反射された光ビームと、目的層よりも対物レンズからの距離が近い目的外層からの反射された光ビームが、ホログラムおよび受光部に照射された場合のそれぞれのスポットを示す正面図である。
【図８】目的層から反射された光ビームと、目的層よりも対物レンズに遠い目的外層から反射された光ビームとの光路の差を示す側面図である。
【図９】目的層から反射された光ビームと、目的層よりも対物レンズからの距離が遠い目的外層から反射された光ビームが、ホログラムおよび受光部６に照射された場合のそれぞれのスポットを示す正面図である。
【図１０】目的層から反射された光ビームと、目的層よりも対物レンズからの距離が近い目的外層から反射された光ビームが、ホログラムおよび受光部６に照射された場合のそれぞれのスポットを示す正面図である。
【図１１】目的層から反射された光ビームと、目的層よりも対物レンズからの距離が遠い目的外層から反射された光ビームが、ホログラムおよび受光部に照射された場合のそれぞれのスポットを示す正面図である。
【図１２】トラッキング用受光部における、補助受光部の形状を示す正面図である。
【図１３】トラッキング用受光部における、補助受光部からの出力信号にゲインを付すゲイン調整器が備えられている構成を示す正面図である。
【図１４】光ピックアップユニットの概略の構成を示す正面図である。
【図１５】ホログラムの分割パターンの他の構成例と、当該ホログラムを通過した光ビームが受光部に照射される領域を示す正面図である。
【図１６】ホログラムの分割パターンの他の構成例と、当該ホログラムを通過した光ビームが受光部に照射される領域を示す正面図である。
【図１７】情報記録／再生装置の概略の構成を示すブロック図である。
【符号の説明】
【０１３３】
１  レーザ光源
２  回折部
３  対物レンズ
４  光ディスク
５  ホログラム
６  受光部
２０  光ピックアップユニット
５０  情報記録／再生装置
５１  スピンドルモータ
５２  駆動制御部
【図１】
2005317161.tif 000003
【図２】
2005317161.tif 000004
【図３】
2005317161.tif 000005
【図４】
2005317161.tif 000006
【図５】
2005317161.tif 000007
【図６】
2005317161.tif 000008
【図７】
2005317161.tif 000009
【図８】
2005317161.tif 000010
【図９】
2005317161.tif 000011
【図１０】
2005317161.tif 000012
【図１１】
2005317161.tif 000013
【図１２】
2005317161.tif 000014
【図１３】
2005317161.tif 000015
【図１４】
2005317161.tif 000016
【図１５】
2005317161.tif 000017
【図１６】
2005317161.tif 000018
【図１７】
2005317161.tif 000019